(57)【要約】【課題】  ＵＳＢ端子の保護用キャップの紛失を防止するとともに、ＵＳＢ端子の誤挿入を抑制し、故障の発生の低減を図ることが可能なＵＳＢメモリを提供する。【解決手段】  ＵＳＢメモリ１は、半導体メモリを搭載し保護するための筐体部２と、筐体部２に連結されたＵＳＢ端子部３と、筐体部２と係合した状態でＵＳＢ端子部３を覆うキャップ部４と、を備え、キャップ部４は、筐体部２の左右両側壁に対向するように延設されるとともに摺動子６が突設された一対の腕部５ａ、５ｂを有し、筐体部２の左右両側壁には、摺動子６が摺動可能に嵌め込まれ、ＵＳＢ端子部３を外部のＵＳＢ端子に嵌め込む方向に摺動子６を案内するための案内溝７が形成され、摺動子６を係合するための係合溝８が、案内溝７から筐体部２の下面側に延びて形成されている。【選択図】  図１
2006301789.tif 000002
【特許請求の範囲】
【請求項１】
内部に半導体メモリを搭載し収納した筐体部と、
前記筐体部の前面に連結され、矩形の開口部を有するケーシングと、このケーシング内の底部に設けられた基板と、この基板の上面に設けられ、前記半導体メモリと接続された金属端子と、を有し、外部のＵＳＢ端子と接続するためのＵＳＢ端子部と、
前記筐体部と係合した状態で前記ＵＳＢ端子部を覆うキャップ部と、を備え、
前記キャップ部は、前記筐体部の左右両側壁に対向するように延設されるとともに摺動子が突設された一対の腕部を有し、
前記筐体部の左右両側壁には、前記摺動子が摺動可能に嵌め込まれ、前記外部のＵＳＢ端子に嵌め込む方向に前記摺動子を案内するための案内溝が形成され、さらに、前記摺動子を係合するための係合溝が形成されており、
前記キャップ部が前記筐体部から外れるように、前記キャップ部を前記案内溝に沿ってスライドさせることにより、前記キャップ部が前記摺動子を中心として上面側に回動可能となり、さらに前記キャップ部を回動させるとともに前記摺動子を係合溝に係合させることにより、前記筐体部の上面で前記キャップ部が係止可能になることを特徴とするＵＳＢメモリ。
【請求項２】
前記係合溝は、前記案内溝から前記筐体部の下面側に延びて形成されていることを特徴とする請求項１に記載のＵＳＢメモリ。
【請求項３】
前記キャップ部は、前記キャップ部が前記筐体部から外れるように、前記案内溝に沿ってスライドさせた場合に、前記キャップ部が前記筐体部の下面側に回動しないようにするための係止部を有することを特徴とする請求項１または２に記載のＵＳＢメモリ。
【請求項４】
前記係止部は、前記キャップ部の上面に設けられており、前記キャップ部を前記案内溝に沿ってスライドさせた場合に、前記ＵＳＢ端子部と接触して前記キャップ部が前記筐体部の下面側に回動しないようになっていることを特徴とする請求項３に記載のＵＳＢメモリ。
【請求項５】
前記筐体部の両側壁には、前記係合溝が複数設けられていることを特徴とする請求項４に記載のＵＳＢメモリ。
【発明の詳細な説明】
【技術分野】
【０００１】
本発明は、パーソナルコンピュータ等のＵＳＢ端子に接続して使用する、半導体メモリを備えたＵＳＢメモリに関するものである。
【背景技術】
【０００２】
パーソナルコンピュータ等でデータを移動させるのにＵＳＢ端子に直接接続できるＵＳＢメモリが知られている。すなわち、パソコンに設けられたメス型のＵＳＢ端子に、このＵＳＢメモリのオス型のＵＳＢ端子を接続して、データの出入力を直接行うものである。
【０００３】
この従来のＵＳＢメモリには、半導体メモリを搭載し保護するための筐体部と、この筐体部に連結され、外部のＵＳＢ端子と接続するためのＵＳＢ端子部と、筐体部と係合した状態でＵＳＢ端子部を覆うキャップ部と、を備えるものがある。このＵＳＢメモリのキャップ部は、紛失を防ぐため筐体部から分離不能になっており、ＵＳＢメモリの使用時には、キャップ部が回動して、筐体部のＵＳＢ端子部と反対側に装着されるようになっている（例えば、特許文献１参照）。
【０００４】
このような、従来技術においては、既述のようにＵＳＢメモリの使用時には、キャップまたは保護材を回動させて筐体部のＵＳＢ端子部の反対側に装着し、ＵＳＢコネクタをパソコン等のＯＡ機器に接続して使用する。しかし、このような従来のＵＳＢメモリの外観構成では、ＵＳＢ本体の上下左右の判別が分りにくく、ユーザが向きを間違って、外部のＵＳＢ端子に挿入してしまうことがあり、この場合、無理な挿入が行われると、ＵＳＢコネクタがダメージを受け、さらには、ＵＳＢメモリが故障するという問題が生じていた。
【特許文献１】特開平２００４−２２１０４８号公報（第３頁、第２図）
【発明の開示】
【発明が解決しようとする課題】
【０００５】
本発明は、上記課題を解決するものであり、ＵＳＢ端子の保護用キャップの紛失を防止するとともに、ＵＳＢ端子の誤挿入を抑制し、故障の発生の低減を図ることが可能なＵＳＢメモリを提供することを目的とする。
【課題を解決するための手段】
【０００６】
本発明に係る実施例に従ったＵＳＢメモリは、内部に半導体メモリを搭載し収納した筐体部と、前記筐体部の前面に連結され、矩形の開口部を有するケーシングと、このケーシング内の底部に設けられた基板と、この基板の上面に設けられ、前記半導体メモリと接続された金属端子と、を有し、外部のＵＳＢ端子と接続するためのＵＳＢ端子部と、前記筐体部と係合した状態で前記ＵＳＢ端子部を覆うキャップ部と、を備え、前記キャップ部は、前記筐体部の左右両側壁に対向するように延設されるとともに摺動子が突設された一対の腕部を有し、前記筐体部の左右両側壁には、前記摺動子が摺動可能に嵌め込まれ、前記外部のＵＳＢ端子に嵌め込む方向に前記摺動子を案内するための案内溝が形成され、さらに、前記摺動子を係合するための係合溝が形成されており、前記キャップ部が前記筐体部から外れるように、前記キャップ部を前記案内溝に沿ってスライドさせることにより、前記キャップ部が前記摺動子を中心として上面側に回動可能となり、さらに前記キャップ部を回動させるとともに前記摺動子を係合溝に係合させることにより、前記筐体部の上面で前記キャップ部が係止可能になることを特徴とする。
【発明の効果】
【０００７】
本発明によれば、ＵＳＢ端子の保護用キャップの紛失を防止するとともに、ＵＳＢ端子の誤挿入を抑制し、故障の発生の低減を図ることが可能なＵＳＢメモリを提供することができる。
【発明を実施するための最良の形態】
【０００８】
以下、本発明の実施例を図面に基づいて説明する。
【実施例１】
【０００９】
図１は、本発明の実施例１に係るＵＳＢメモリの構成を示す側面図である。また、図２は、本発明の実施例１に係るＵＳＢメモリの構成を示す平面図である。
【００１０】
以下では、筐体部のＵＳＢ端子部が連結されている面側を前方向とし、このＵＳＢ端子部の基板の金属端子が設けられている面側を上方向として説明する。
【００１１】
図１および２に示すように、ＵＳＢメモリ１は、半導体メモリを搭載し収納した筐体部２と、この筐体部２の前面に連結され、図示しない外部のＵＳＢ端子と接続するためのＵＳＢ端子部３と、筐体部２と係合した状態でＵＳＢ端子部３を覆うキャップ部４と、を備えている。ここで、筐体部２およびキャップ部４は、例えば、プラスチック、木、金属、樹脂等の少なくとも何れか１つの部材から構成されている。
【００１２】
筐体部２の左右両側壁には、ＵＳＢ端子部３を外部のＵＳＢ端子に嵌め込む方向に案内溝７が形成されている。さらに、案内溝７の終端からＵＳＢ端子部３側に向かって、係合溝８が筐体部２の下面側に斜めに延びて形成されている。また、筐体部２の前面側には、凹部１５が形成されている。また、筐体部２の前面側には、凹部１５が形成されている。
【００１３】
キャップ部４は、筐体部２の左右両側壁に対向するように延設されるとともに摺動子６が突設された一対の腕部５ａ、５ｂを有している。この摺動子６は、案内溝７に摺動可能に嵌め込まれ、案内されるようになっている。また、摺動子６は、係合溝８で係合されるようになっている。
【００１４】
キャップ部４は、ＵＳＢ端子部３を外部のＵＳＢ端子に嵌め込む向きに（キャップ部４が筐体部２から外れるように）案内溝７に沿って、このキャップ部４をスライドさせた場合に、キャップ部４が筐体部２の下面側に回動しないようにするための係止部９を有する。この係止部９は、キャップ部４の上面側に設けられており、キャップ部４がＵＳＢ端子部３を覆っている場合には、凹部１５と噛み合うようになっている。さらに、キャップ部４を案内溝７に沿ってスライドさせた場合には、この係止部９がＵＳＢ端子部３と接触し、キャップ部４が筐体部２の下面側に回動しないようになっている。また、摺動子６を係合溝８に係合させ、キャップ部４を、摺動子６を中心に回動させた場合には、係止部９が筐体部２の上面に接触してキャップ部４が筐体部２の上面で係止されるようになっている。なお、係合溝８の案内溝７に対する角度は、キャップ部４が係止されたときに、係合溝８の内面で摺動子６が係合されるような角度であればよい。
【００１５】
図３は、本発明の実施例１に係るＵＳＢメモリの構成を示す正面図である。なお、キャップ部４は、ここでは簡単のため省略されている。図３に示すように、ＵＳＢ端子部３は、例えば、金属等で構成され矩形の開口部を有するケーシング１０と、このケーシング１０内の底部に設けられた、例えば、絶縁部材から構成される基板１１と、この基板１１の上面に設けられた金属端子１２と、を有している。
【００１６】
以上のような構成により、ＵＳＢメモリ１は、ＵＳＢ端子部３を露出させるためにキャップ部４をスライドさせた場合、キャップ部４が摺動子６を中心として上面側にのみ回動可能であり、摺動子６を係合溝８に係合させるとともにキャップ部４を回動させることにより、筐体部２の上面側でこのキャップ部４を係止可能にするものである。
【００１７】
ここで、ＵＳＢメモリ１を使用（外部のＵＳＢに接続）する場合のキャップ部４の回動動作について、図４から図６に基づいて説明する。
【００１８】
図４は、本発明の実施例１に係るＵＳＢメモリのキャップ部の回動動作を説明するための側面図である。まず、図４に示すように、ユーザにより、キャップ部４が引っ張られて、摺動子６が案内溝７に沿うように、キャップ部４がスライドし筐体部２から外れる。案内溝７のＵＳＢ端子３側の終端まで摺動子６が移動したとき、キャップ部４の上面側は、係止部９がＵＳＢ端子部３の先端部を上面側から被覆するようになっており、一方、キャップ部４の下面側は、完全にＵＳＢ端子部３が露出するようになっている。これにより、既述のように、キャップ部４の下面がＵＳＢ端子部３に接触しないので上面側には回動可能であり、一方、係止部９がＵＳＢ端子部３の先端に接触するためキャップ部４が下面側には回動しない。
【００１９】
次に、摺動子６を中心軸とするキャップ部４の回動動作に移る。図５は、本発明の実施例１に係るＵＳＢメモリのキャップ部の回動動作を説明するための側面図である。図５に示すように、ユーザは、キャップ部４を、摺動子６を中心軸として回動させるとともに、この摺動子６を係合溝８に移動させる。なお、キャップ部４の下面がＵＳＢ端子部３の先端部に接触しない状態であれば、案内溝７に摺動子６が位置するときにキャップ部４を回動動作させ、その後、摺動子６を移動させて係合溝８に係合させてもよい。
【００２０】
以上のようにして、キャップ部４が回動し、係止部９が筐体部２の上面に接触する。図６は、本発明の実施例１に係るＵＳＢメモリの使用時の構成を示す側面図である。図６に示すように、係合溝８の下端で摺動子が係合するとともに、係止部９が筐体部２の上面に接触し支持される。これにより、外部のＵＳＢ端子に接続できるように、ＵＳＢ端子部が露出するとともに、キャップ部４が筐体部２の上面側に係止されることとなる。すなわち、ユーザは、このキャップ部４が載置されている面をＵＳＢメモリ１の上面と認識することができるため、ＵＳＢ端子を接続すべき方向が判別できるようになるものである。
【００２１】
以上のように、本実施例に係るＵＳＢメモリによれば、ＵＳＢメモリの使用時には、ＵＳＢ端子部を保護するキャップ部をＵＳＢメモリ本体から分離することなく、筐体部の上面側にのみ係止するようにしたので、キャップ部の紛失を防止するとともに、ユーザによるＵＳＢ端子の誤挿入を抑制し、故障の発生を低減することができる。
【実施例２】
【００２２】
実施例１では、摺動子を係合するための係合溝が１つ設けられている構成について述べたが、本実施例では、この係合溝が、摺動子を係合する位置を調整するため複数設けられている構成について述べる。
【００２３】
図７は、本発明の実施例２に係るＵＳＢメモリの使用時の構成を示す側面図である。図７に示すように、ＵＳＢメモリ１ａの筐体部２ａの左右両側壁には、摺動子６が摺動可能に嵌め込まれ、ＵＳＢ端子部３を外部のＵＳＢ端子に嵌め込む方向に摺動子６を案内するための案内溝１３が形成されている。筐体部２の左右両側壁には、摺動子６を係合するための係合溝１４が、案内溝１３から筐体部２の下面側に延びて複数形成されている。
【００２４】
図７に示すように、使用時には、ユーザは、係合溝１４を適宜選択し、摺動子６を係合することにより、キャップ部４が係止する配置を調整することができるようになっている。これにより、例えば、外部のＵＳＢ端子が複数隣接して設けられ各々ＵＳＢメモリが接続されている場合であっても、キャップ部４の配置を変更することにより、キャップ部４が他のＵＳＢメモリに接触するのを回避することができるようになっている。
【００２５】
以上のように、本実施例に係るＵＳＢメモリによれば、摺動子を係合する位置を調整するために係合溝を複数設けたので、ユーザによるＵＳＢ端子の誤挿入を抑制しつつ、ＵＳＢメモリの使用時のキャップ部の筐体部の上面に係止する配置を調整することができ、外部のＵＳＢ端子が複数隣接するような使用状況にも対応することができる。
【００２６】
なお、以上の各実施例においては、係合溝が案内溝から下面側に延びて形成された構成について説明したが、係合溝はキャップ部が係止されたときに、係合溝の内面で摺動子が係合されるように案内溝から上面側に延びるように形成しても、同様の作用効果を奏するのは勿論である。
【００２７】
また、以上の各実施例においては、ＵＳＢメモリの上面を上にして外部のメス型のＵＳＢ端子に接続する場合を想定して説明したが、例えば、外部のメス型のＵＳＢ端子が横になっている場合であっても、ユーザは、少なくともＵＳＢメモリのオス型のＵＳＢ端子の接続すべき方向を認識し、外部のメス型のＵＳＢ端子の向きに合わせて接続することができるため、ＵＳＢ端子の誤挿入を抑制し、故障の発生を低減することができるのは勿論である。
【図面の簡単な説明】
【００２８】
【図１】本発明の実施例１に係るＵＳＢメモリの構成を示す側面図である。
【図２】本発明の実施例１に係るＵＳＢメモリの構成を示す平面図である。
【図３】本発明の実施例１に係るＵＳＢメモリの構成を示す正面図である。
【図４】本発明の実施例１に係るＵＳＢメモリのキャップ部の回動動作を説明するための側面図である。
【図５】本発明の実施例１に係るＵＳＢメモリのキャップ部の回動動作を説明するための側面図である。
【図６】本発明の実施例１に係るＵＳＢメモリの使用時の構成を示す側面図である。
【図７】本発明の実施例２に係るＵＳＢメモリの使用時の構成を示す側面図である。
【符号の説明】
【００２９】
１、１ａ  ＵＳＢメモリ
２、２ａ  筐体部
３  ＵＳＢ端子部
４  キャップ部
５ａ、５ｂ  腕部
６  摺動子
７  案内溝
８  係合溝
９  係止部
１０  ケーシング
１１  基板
１２  金属端子
１３  案内溝
１４  係合溝
１５  凹部
【図１】
2006301789.tif 000003
【図２】
2006301789.tif 000004
【図３】
2006301789.tif 000005
【図４】
2006301789.tif 000006
【図５】
2006301789.tif 000007
【図６】
2006301789.tif 000008
【図７】
2006301789.tif 000009